(57)【要約】【課題】モチーフを有した形状物が形状や色彩の美しさを楽しむだけのものでなく、思わず指先ではじいてみたり、手に取って見るとフレキシブで繊細に可動する機能を有したオブジェ及びオブジェ部品を提供する。【解決手段】薄板状素材を円板状、または、任意形状に形成し、該薄板状素材を幾重にも重合させることによりオブジェ及びオブジェ部品を製作するにあたり、前記薄板状素材は互いに、必要に応じ、スペーサーを介して疎密に重ね合わせ、該薄板状素材のセンター芯を貫通するテングス等の紐部材にて両端で張着する。【選択図】  図２
2004291425.tif 000002
【特許請求の範囲】
【請求項１】
薄板状素材を円板状に形成し、該円板状に形成された薄板状素材を幾重にも重合させることによりオブジェ及びオブジェ部品を製作するにあたり、前記薄板状素材の円板は必要部位にスペーサーを介することにより互いに疎密に重ね合わせ、該薄板状素材のセンター芯を貫通するテングス等の紐部材にて両端部から張着したことを特徴とする薄板状素材からなるオブジェ及びオブジェ部品。
【請求項２】
薄板状素材を円板状に形成し、該円板状に形成された薄板状素材を幾重にも重合させることによりオブジェ及びオブジェ部品を製作するにあたり、前記薄板状素材の円板は必要部位にスペーサーを介することにより互いに疎密に重ね合わせ、該薄板状のセンター芯より偏芯した位置で貫通するテングス等の紐部材にて両端部から張着したことを特徴とする薄板状素材からなるオブジェ及びオブジェ部品。
【請求項３】
薄板状素材を円板状に形成し、該円板状に形成された薄板状素材を幾重にも重合させることによりオブジェ及びオブジェ部品を製作するにあたり、前記薄板状素材は必要部位にスペーサーを介することにより互いに疎密に重ね合わせ、該薄板状素材を連繋するテングス等の紐部材はそれぞれセンター芯を貫通させたり中途から前記センター芯より偏芯した位置で貫通させて両端部から張着したり、前記テングス等の紐部材を初めは薄板状素材のセンター芯より偏芯させて貫通させ中途からセンター芯で貫通させて両端部から張着させたり、前記センター芯での紐部材の貫通とセンター芯より偏芯した位置での紐部材の貫通を交互に交えて薄板状素材を連繋して両端部で張着したことを特徴とする薄板状素材からなるオブジェ及びオブジェ部品。
【請求項４】
前記薄板状素材及び／又はスペーサーを紙、合成樹脂、金属板、布地、ガラス板、石板等から任意に選択し、また組み合わせを自由に選択してなる請求項１乃至請求項３記載の薄板状素材からなるオブジェ及びオブジェ部品。
【請求項５】
前記薄板状素材の形状を円板形状のみならず任意の形状を選択し、また組み合わせをじゆうに選択してなる請求項１乃至請求項３記載の薄板状素材からなるオブジェ及びオブジェ部品。
【請求項６】
前記薄板状素材の直径乃至大きさを任意に選択し、また組み合わせを自由に選択してなる請求項１乃至請求項３記載の薄板状素材からなるオブジェ及びオブジェ部品。
【請求項７】
前記薄板状素材の厚さを任意に選択し、また組み合わせ自由に選択してなる請求項１乃至請求項３記載の薄板状素材からなるオブジェ及びオブジェ部品。
【請求項８】
前記薄板状素材の色彩を任意に選択し、また組み合わせを自由に選択してなる請求項１乃至請求項３記載の薄板状素材からなるオブジェ及びオブジェ部品。
【請求項９】
前記薄板状素材そのもの、形状、直径又は大きさ、厚さ、又は色彩、を任意に組み合わせてなる請求項１乃至請求項８記載の薄板状素材からなるオブジェ及びオブジェ部品。
【請求項１０】
前記薄板状素材の重合にて形成されたオブジェ及びオブジェ部品の端部にマグネットを組込み、前記オブジェ及びオブジェ部品を鋼板上で磁力にて載置したり懸架可能にしたことを特徴とする請求項１乃至請求項３記載の薄板状素材からなるオブジェ及びオブジェ部品。
【請求項１１】
前記薄板状素材及びスペーサーを貫通して張着するための紐部材は可撓性のあるテングス、針金、ワイヤー、凧糸、コイルバネ等から任意に選択し、また組み合わせを自由に選択してなる請求項１乃至請求項３記載の薄板状素材から成るオブジェ及びオブジェ部材。
【請求項１２】
前記スペーサーの厚さを任意に変えることにより薄板状素材の重合時における各薄板状素材の疎密度を変化可能とする請求項１乃至請求項３の薄板状素材から成るオブジェ及びオブジェ部材。
【発明の詳細な説明】
【０００１】
【発明の属する分野】
本発明は、紙、合成樹脂、金属板、布地、ガラス、石等の素材を薄板状に形成して幾重にも重ね合わせて製作するオブジェ及びオブジェの部品に関するものである。
【０００２】
本発明が対象とするオブジェとは、美術的要素の高い置き物、インテリア、装飾品等として量産可能なもので、該オブジェは室内空間に置かれ、その形状や、色彩を楽しめる他、思わず手に取ってその動きや感触を確かめたくなるような造形物である。
【０００３】
また、オブジェ部品とは、前記オブジェを構成する一つの部材、即ち、動物をモチーフとしたオブジェにおいては、頭や胴体は、本発明の構成要素とは異なる部品や部材を用いて製作し、手や足、及び尻尾は、本発明の構成要素を部品として使用する場合を示している。
【０００４】
本発明は、特に色彩の異なるクラフト紙等、薄板状素材を円板状に型抜きして幾重にも重ね合わせてモチーフとなる形状を製作し、該モチーフを有した形状物が、形状や色彩の美しさを楽しむだけのものではなく、指先ではじいてみたり、手に取ってみるとフレキシブにまた思いもよらぬ態様に可動する機能を有したオブジェ及びオブジェ部品に関するものである。
【０００５】
【従来の技術】
従来、色彩の異なる正方形の紙を幾重にも重ね合わせて、その端部を糊付けして正方柱にまとめあげたメモ用紙や、該正方形の紙を端部で糊付けしてする際に、正方形の紙を該正方形の紙の軸芯を中心に少しずつ回動させた状態にてずらし、糊付けして、丁度、正方柱が捻れた形状にまとめてあるメモ用紙が市販されている。
【０００６】
前記メモ用紙は、色彩の異なる正方形の紙を幾重にも重ね合わせて、色彩の美しさや、正方柱の捻れ形状を楽しみながら、メモ用紙を使える実用事務用品として机上に置かれ、ある時期、オブジェ的な役割をも果たしている。
【０００７】
しかしながら、前記メモ用紙は、使用すれば消耗して色彩の美しさや、形状のおもしろさは楽しめなくなるので、メモ用紙と言う実用的な事務用品に色彩の美しさと形状的おもしろさを付加したのみの商品であるといえる。
【０００８】
【本発明が解決しようとする課題】
斯くして、本発明は、紙、合成樹脂、金属板、布地、ガラス、石等の素材を薄板状に形成して、該薄板状素材を円板または他の形に型抜きして、幾重にも重ね合わせて、モチーフとなる形状を製作し、該モチーフを有した形状物が、形状や色彩の美しさを楽しむだけのものではなく、思わず指先ではじいてみたり、手に取ってみるとフレキシブで繊細にまた思いもよらぬ態様に可動する機能を有した新規なオブジェ及びオブジェ部品を提供するものである。
【０００９】
【課題を解決するための手段】
本発明は、薄板状素材を、例えば、色彩のそれぞれ異なるクラフト紙を、多数枚円板状に切り抜き、または型抜きして形成し、該円板状に形成されたクラフト紙を適宜配色して幾重にも重合させることによりオブジェ及びオブジェ部品を製作するにあたり、前記クラフト紙からなる円板は必要部位にスペーサーを介することにより互いに疎密に重ねあわせ、該クラフト紙からなる円板のセンター芯を貫通するテングス等の紐部材にて両端より張着した構成を有する。
【００１０】
また、本発明は、薄板状素材を、例えば、色彩の異なるクラフト紙を、多数枚円板状に切り抜き、または型抜きして形成し、該円板状に形成されたクラフト紙を適宜配色して幾重にも重合させることによりオブジェ及びオブジェ部品を製作するにあたり、前記クラフト紙からなる円板は必要部位にスペーサーを介することにより互いに疎密に重ね合わせ、該クラフト紙からなる円板のセンター芯より偏芯した位置にて貫通するテングス等の紐部材にて両端から張着した構成を有する。
【００１１】
更に、本発明は、薄板状素材を、例えば色彩の異なるクラフト紙を、多数枚円板状に切り抜き、または型抜きして形成し、該円板状に形成されたクラフト紙を適宜配色して幾重にも重合させることによりオブジェ及びオブジェ部品を製作するにあたり、前記クラフト紙からなる円板は必要部位にスペーサーを介することにより互いに疎密に重ね合わせ、該クラフト紙からなる円板を連繋するテングス等の紐部材はそれぞれセンター芯を貫通させたり中途から前記センター芯より偏芯した位置で貫通させて両端部から張着したり、前記テングス等の紐部材を初めはクラフト紙のセンター芯より偏芯させて貫通させ途中からセンター芯で貫通させて両端部から張着させたり、前記センター芯での紐部材の貫通とセンター芯より偏芯した位置での紐部材の貫通を交互に交えてクラフト紙を連繋して両端部で張着した構成を有する。
【００１２】
而して、本発明は上述の主な構成に種々の具体的な構成要素が付加される。
即ち、前記、薄板状素材及び／又はスペーサーは、紙、合成樹脂、金属板、布地、ガラス板、石板等から任意に選択し、また組み合わせを自由に選択できる。
【００１３】
前記、薄板状素材の形状も、円板形状のみならず、任意形状として形成し、また組み合わせも自由に選択でき、該任意形状の板材が幾重にも重合することにより種々のモチーフを表現出来、且つ前記円板形状の直径を変化させて任意に重ね合わせることや、薄板状素材の形状や大きさを任意に変化させることを自由に選択できるものである。
尚、この点は、該素材の色彩に於いても同様である。
【００１４】
前記、薄板状素材の厚さを任意に選択したり、該薄板状素材の厚さを適宜変更しながら重合して、オブジェ及びオブジェ部品を製作することは自由にできる。
【００１５】
尚、前記薄板状素材自体、形状、直径又は大きさ、厚さ、又は色彩、を任意に組み合わせることも可能である。
【００１６】
また、前記薄板状素材の重合にて形成されるオブジェ及びオブジェ部品の端部にマグネットを組込、前記オブジェ及びオブジェ部品を鋼板上で磁力にて載置したり、懸架可能にすることができる。
【００１７】
更に、前記薄板状素材及びスペーサーを貫通して、該薄板状素材及びスペーサーを張着一体化するための紐部材は、可撓性のあるテングス、針金、ワイヤー、凧糸、コイルバネ等から任意に選択し、また組み合わせを自由に選択出来る構成とすることが出来る。
【００１８】
更にまた、本発明は、前記スペーサーの厚さを変えることにより薄板状素材の重合時における各薄板状素材間の間隙を可変して重合する各薄板状素材の疎密度を変化する構成とすることが出来る（尚、該スペーサーの厚を不変とすることも可能であることは勿論である）。
【００１９】
而して本発明が対象とするオブジェとは、美術的要素の高い置物、インテリア、装飾品等として量産可能なもので、前述構成をもって、共通の動きや、見る人にその形状の楽しさ、配色の美しさなどを与えるだけでなく、該オブジェは室内空間に置かれ、見る人が思わず手に取ってその動きや感触を確かめたくなるような造形物である。
【００２０】
また、同じく本発明の対象となるオブジェ部品とは、例えば動物をモチーフとしたオブジェを製作する場合などに於いて、頭や胴体は、本発明の構成要素とは異なる部品や部材にて製作し、手や足、及び尻尾は、本発明の構成要素を部品として使用する場合などを意味している。
【００２１】
斯くして、本発明においては、紙、合成樹脂、金属板、布地、ガラス、石等の素材を薄板状に形成して円板または他の形に切り抜き、或いは型抜きして幾重にも重ね合わせて、モチーフとなる果物や動植物、または想像上の造形物を前述した構成要素を用いて製作し、該製作された造形物は、形状や色彩の美しさを楽しむだけのものでなく、思わず指先ではじいてみたり、手にとって感触を確かめフレキシブで繊細に、また思いもよらぬ態様に可動する機能に使用者は感動するものである。
【００２２】
【発明の実施の形態】
【実施例１】
本発明の実施例１はモチーフとしてヘビを具象化してオブジェとしてまとめたものである。図１は全体の形状を示す立体図、図２は実施例１の構成を示す分解図を示している。
【００２３】
図１及び図２において、１はオブジェ本体（実施例１のモチーフはヘビ）、２ａ、２ｂ、２ｃ、２ｄ、・・・・２ｘ、２ｙ、２ｚはクラフト紙等を円板状に型抜きした薄板状素材、３ａ、３ｂ、３ｃ、・・・・はスペーサー、４ａ、４ｂは頭部、５ａ、５ｂは尻尾端部、６はテングス、７ａ、７ｂ、７ｃ、７ｄ、７ｅは円板であり、該円板のセンター芯にはそれぞれ前記テングス６の張着部孔８がそれぞれ穿たれている。
【００２４】
而して、本発明の実施例１は、種々色彩を有するカラークラフト紙等を適宜選択して同一直径の円板状に切り抜いて薄板状素材２ａ、２ｂ、２ｃ・・・を形成し、該薄板状素材２ａ、２ｂ、２ｃ・・・を幾重にも重合させることによりオブジェ本体１を製作するにあたり、該薄板状素材２ａ、２ｂ、２ｃ・・・は互いにスペーサー３ａ、３ｂ、３ｃ・・・を介して疎密に重ね合わせ、該薄板状素材２ａ、２ｂ、２ｃ・・・のセンター芯を貫通するテングス６等の紐部材にて両端より張着したものである。
【００２５】
前記、薄板状素材２ａ、２ｂ、２ｃ・・・は種々のカラークラフト紙を適宜混合して円板状に切り抜いたり、型取りして作るもので、実施例１においては、同一直径のものが使用されている。また、薄板状素材２ａ、２ｂ、２ｃ・・・はクラフト紙を用いているが、該薄板状素材は、合成樹脂、金属板、布地、ガラス、石等より任意に選択し、或いは前記素材の組み合わせも自由に行える。
【００２６】
前記、スペーサー３ａ、３ｂ、３ｃ・・・は、薄板状素材２ａ、２ｂ、２ｃ・・・間にそれぞれ配置され、該薄板状素材間に間隙を設けるもので、スペーサー３ａ、３ｂ、３ｃ・・・を介して薄板状素材２ａ、２ｂ、２ｃ・・・の円板は互いに疎密に重ね合わせることができる。
【００２７】
尚、スペーサー３ａ、３ｂ、３ｃ・・・の材質は、前記薄板状素材２ａ、２ｂ、２ｃ・・・と同様に紙、合成樹脂、金属板、布地、ガラス、石等があり、前記薄板状素材２ａ、２ｂ、２ｃ・・・の直径に対応して、大きさや、厚さを変化させると、オブジェ本体１の動きや反応を面白く変化出来る（スペーサーを一部設けないこともまた変わった態様を示しうる）。
【００２８】
前記、頭部４ａ、４ｂ及び尻尾端部５ａ、５ｂは端部塞ぎであるが、実施例１において頭部４ａ、４ｂは、カラークラフト紙にて、目、口を造形してヘビを表現している。
【００２９】
前記、テングス６は、頭部４ａ側の円板７ａ、７ｂに穿たれた張着孔８内に繋着され、順に、薄板状素材２ａ、スペーサー３ａ、薄板状素材２ｂ、スペーサー３ｂ、薄板状素材２ｃ、スペーサー３ｃと、それぞれのセンター芯を貫通して締着していき、オブジェ本体１を形成する。
【００３０】
そして、テングス６は、尻尾端部５ａの附近で繋着され、該テングス６の端部は、円板７ｃ、７ｄ、７ｅ内に収納されるので、該部分を前記尻尾端部５ａ、５ｂにて塞ぐことにより端部をきれいに処理している。テングス６は前記薄板状素材２ａ、２ｂ、２ｃ・・・をスペーサー３ａ、３ｂ、３ｃ・・・を介して疎密に重ね合わせ、該重ね合わせを幾重にも繰り返すことにより、図１に示すような長いヘビのオブジェ本体１を形成している。
【００３１】
また、テングス６は、オブジェ本体１の両端附近で、連繋された薄板状素材２ａ、２ｂ、２ｃ・・・とスペーサー３ａ、３ｂ、３ｃ・・・を適宜に張着することにより、オブジェ本体１を手に取ったときに、可撓性を発揮してフレキシブで繊細な動きをして、楽しめるオブジェを提供する。
【００３２】
尚、テングス６は、針金、ワイヤー、凧糸、コイルバネ等から任意に選択し、また、組み合わせを自由に選択出来るものである。
【００３３】
斯くして、実施例１の本発明は、種々色彩を持つカラークラフト紙等を適宜選択して同一直径の円板状に切り抜いて薄板状素材２ａ、２ｂ、２ｃ・・・を形成し、該薄板状素材２ａ、２ｂ、２ｃ・・・を幾重にも重合させることによりオブジェ本体１を製作するにあたり、該薄板状素材２ａ、２ｂ、２ｃ・・・は互いにスペーサー３ａ、３ｂ、３ｃ・・・を介して疎密に重ね合わせ、該薄板状素材２ａ、２ｂ、２ｃ・・・のセンター芯を貫通するテングス６等の紐部材にて両端部より張着したものである。
【００３４】
【実施例２】
また、前記、実施例１の応用例として、図３は、カラークラフト紙等を適宜選択して同一直径の円板状に切り抜いて薄板状素材２ａ、２ｂ、２ｃ・・・を形成し、該薄板状素材２ａ、２ｂ、２ｃ・・・を幾重にも重合させることによりオブジェ本体１を製作する際に、該薄板状素材２ａ、２ｂ、２ｃ・・・は互いにスペーサー３ａ、３ｂ、３ｃ・・・を介して疎密に重ね合わせ、該薄板状素材２ａ、２ｂ、２ｃ・・・等は初め頭部４ａ側より薄板状素材のセンター芯をテングス６が貫通して連繋されているが、途中からセンター芯Ｓより偏芯した位置でテングス６をそれぞれ薄板状素材２ｘ、２ｙ、２ｚが貫通させて連繋し、該テングス６の両端部をオブジェ本体１の両端部で張着したものである。
【００３５】
更に、前記薄板状素材２ａ、２ｂ、２ｃ・・・を貫通して、該薄板状素材２ａ、２ｂ、２ｃ・・・とスペーサー３ａ、３ｂ、３ｃ・・・を幾重にも重ね合わせるテングス６を、前記薄板状素材のセンター芯上を貫通させたり、意識的に薄板状素材のセンター芯より偏芯した位置にて貫通させることを繰り返し、より面白い動きをするオブジェ本体１が得られる。
【００３６】
【実施例３】
本発明の実施例３はモチーフとして洋ナシ状を具象化してまとめたものである。図４は実施例３の側面図、図５は図４に示す実施例２を平板上に載置したときの状態を立体図にて示している。
【００３７】
図４及び図５において、１１はオブジェ本体（モチーフは洋ナシ）、１２ａ、１２ｂ、１２ｃ、１２ｄ・・・１２ｘ、１２ｙ、１２ｚはクラフト紙等を円板状に型抜きした薄板状素材で、該薄板状素材１２ａ、１２ｂ、１２ｃ、１２ｄ・・・１２ｘ、１２ｙ、１２ｚはそれぞれ円板の直径が異なり、該薄板状素材を幾重にも重ね合わせることにより、洋ナシを表現している。１３ａ、１３ｂ、１３ｃ・・・は、前記薄板状素材１２ａ、１２ｂ、１２ｃ・・・間に介在するスペーサー、１４は頭部、１５は下端部、１６はテングス等の紐部材である。
【００３８】
而して、本発明の実施例３は、種々の色彩を有するカラークラフト紙等を適宜選択して、それぞれ直径鋸となる円板状に型抜きして薄板状素材１２ａ、１２ｂ、１２ｃ、１２ｄ・・・を形成し、該薄板状素材１２ａ、１２ｂ、１２ｃ、１２ｄ・・・を幾重にも重合させることにより、洋ナシ形状のオブジェ本体１１を製作するにあたり、前記薄板状素材１２ａ、１２ｂ、１２ｃ、１２ｄ・・・は互いにスペーサー１３ａ、１３ｂ、１３ｃ・・・を介して疎密に重ね合わせ、該薄板状素材１２ａ、１２ｂ、１２ｃ、１２ｄ・・・のセンター芯を貫通するテングス１６等の紐部材にて両端より張着する。
【００３９】
図５は、上記構成にて組み立てられたオブジェ本体１１を平板上に載置した状態を示すもので、前記下端部１５は、薄板状素材の円板のみが重合していて重石状態を形成しており、頭部１４も同様で、前記テングス１６にて連繋している、頭部１４と下端部１５間で、薄板状素材１２ａ、１２ｂ、１２ｃ、１２ｄ・・・とスペーサー１３ａ、１３ｂ、１３ｃ・・・が交互に重合して疎密化されている部分が、不定形に撓むことになる。
【００４０】
頭部１４の端部には、クラフト紙にて図５に示す如く、ユーモラスな鼻と目が形成されていて、この様な状態で載置されたオブジェ本体１１は思わず手に取ってその動きや感触を確かめたくなるような造形物を提供している。
【００４１】
実施例３においても、直径の異なる薄板状素材１２ａ、１２ｂ、１２ｃ、１２ｄ・・・をテングス１６で連繋し張着する際には、前記薄板状素材１２ａ、１２ｂ、１２ｃ、１２ｄ・・・のセンター芯を偏芯させて重合したり、同一オブジェ１１内でセンター芯を貫通させたり、偏芯させて前記薄板状素材１２ａ、１２ｂ、１２ｃ、１２ｄ・・・を連繋させることは、オブジェ本体１１の撓み方を変化させ、面白い表情や態様が得られる。
【００４２】
斯くして、実施例３においても、下記のような構成要素の変更は、オブジェとしての造形や表現を大幅に拡げることになるので、説明しておきたい。
【００４３】
即ち、前記薄板状素材１２ａ、１２ｂ、１２ｃ・・・、及びスペーサー１３ａ、１３ｂ、１３ｃ・・・をクラフト紙の他、合成樹脂、金属板、布地、ガラス、石から任意に選択紙、また、それらを組み合わせた構成にすることができる。
【００４４】
前記薄板状素材１２ａ、１２ｂ、１２ｃ・・・の形状を円板形状だけでなく、正方形、長方形、三角形等任意形状にすることができる。
【００４５】
前記薄板状素材１２ａ、１２ｂ、１２ｃ・・・の厚さを任意に選択して製作したり、適宜変更して、重合することができる。
【００４６】
前記オブジェ本体１１の下端部１５にマグネットを組込み、載置台が鋼製の場合に磁力にて、吸着させ安定した置物とすることができる。
【００４７】
前記薄板状素材１２ａ、１２ｂ、１２ｃ・・・、及び、スペーサー１３ａ、１３ｂ、１３ｃ・・・を貫通して両端で張着するための紐部材は、テングス１６のみならず、針金、ワイヤー、凧糸、コイルバネ等から任意に選択し、また組み合わせを自由に選択できる。
【００４８】
前記スペーサー１３ａ、１３ｂ、１３ｃ・・・の厚さは任意に変えることにより薄板状素材１２ａ、１２ｂ、１２ｃ・・・を重合した際に各薄板状素材間の疎密度を変化したオブジェ本体１１を製作できる。
【００４９】
【実施例４】
本発明の実施例４は、モチーフとしてサルを具象化してオブジェとしてまとめたものである。図６は、全体の形状を示す立体図である。
【００５０】
図６において、２２はオブジェ本体（モチーフはサル）、２３は鋼製の懸架柱、２４ａ、２４ｂは両腕２５ａ、２５ｂ端部に設けられたマグネット、２６は顔、２７は胴体、２８ａ、２８ｂは足、該足端部には、腕２５ａ、２５ｂと同様にマグネット２９ａ、２９ｂが設けられている。尚、３０は尻尾を示している。
【００５１】
而して本発明の実施例４は、前記実施例１及び２にて説明した特異な動きをするオブジェ構成部材を、腕２５ａ、２５ｂ、足２８ａ、２８ｂ、尻尾３０のオブジェ部材として使用した。
【００５２】
本実施例では、顔２６、及び胴体２７は、例えばクラフト紙や合成樹脂で製作し、腕、足、尻尾は、実施例１にて説明したように、薄板状素材３１ａ、３１ｂ、３１ｃ・・・を円板状に形成し、該円板状に形成された薄板状素材３１ａ、３１ｂ、３１ｃ・・・を幾重に重合させることによりオブジェ部品として製作する。薄板状素材の３１ａ、３１ｂ、３１ｃ・・・の円板は、互いにスペーサー（図示せず）を介して疎密に重ね合わせ、該薄板状素材３１ａ、３１ｂ、３１ｃ・・・のセンター芯を貫通するテングス３２及び針金３３等の紐部材にて部品の両端部で張着する。
【００５３】
本発明の実施例４は、実施例１乃至実施例３にて詳説したオブジェ本体としての実施例だけでなく、オブジェを構成する部品としても応用価値が大きいことを示している。
【００５４】
【発明の効果】
斯くして、本発明は、薄板状素材を円板状等に形成し、該円板状等に形成された薄板状素材を幾重にも重合させることによりオブジェ及びオブジェ部品を製作するにあたり、前記薄板状素材の円板等は互いに、必要に応じて、スペーサーを介して疎密に重ね合わせ、該薄板状素材のセンター芯を貫通するテングス等の紐部材にて両端で張着する構成を特徴とした。
【００５５】
また、本発明は、オブジェ全体が、より面白くフレキシブで繊細に可動できるよう、上述の薄板状素材をテングス等で貫通して張着する位置を、前記薄板状素材のセンター芯より偏芯させて設けたり、センター芯での貫通と、偏芯位置での貫通を任意に組み合わせて前記薄板状素材を疎密に重ね合わせる構成を特徴とした。
【００５６】
上記構成により、本発明は、紙、合成樹脂、金属板、布地、ガラス、石等の素材を薄板状に形成して、該薄板状素材を円板、または他の形に型抜きして、幾重にも重ね合わせて、モチーフとなる形状を製作できる。そして、モチーフを有した形状物が、物の形や色彩の美しさを楽しむだけのものでなく、思わず指先ではじいてみたり、手に取って見るとフレキシブで繊細に可動する機能を有した薄板状素材からなるオブジェ及びオブジェ部品を提供することができた。
【図面の簡単な説明】
【図１】実施例１を説明する立体図である。
【図２】実施例１の分解説明図である。
【図３】実施例２の分解説明図である。
【図４】実施例３を説明する側面図である。
【図５】実施例３のオブジェを平板上に載置状態を示す説明図である。
【図６】実施例４を説明する立体図である。
【符号の説明】
１  実施例１及び２のオブジェ本体
２ａ、２ｂ、２ｃ・・・２ｘ、２ｙ、２ｚ  薄板状素材
３ａ、３ｂ、３ｃ・・・  スペーサー
４ａ、４ｂ  頭部部材
５ａ、５ｂ  尻尾端部
６  テングス
７ａ、７ｂ、７ｃ・・・  円板
８  張着孔
Ｓ  センター芯
１１  実施例３のオブジェ本体
１２ａ、１２ｂ、１２ｃ・・・  薄板状素材
１３ａ、１３ｂ、１３ｃ・・・  スペーサー
１４  頭部
１５  下端部
１６  テングス等の紐部材
２２  実施例４のオブジェ本体
２３  懸架柱
２４ａ、２４ｂ  腕
２５ａ、２５ｂ  マグネット
２６  顔
２７  胴体
２８ａ、２８ｂ  足
２９ａ、２９ｂ  マグネット
３０  尻尾
３１ａ、３１ｂ、３１ｃ・・・薄板状素材
【図１】
2004291425.tif 000003
【図２】
2004291425.tif 000004
【図３】
2004291425.tif 000005
【図４】
2004291425.tif 000006
【図５】
2004291425.tif 000007
【図６】
2004291425.tif 000008